(57)【要約】【課題】コンテンションベース上りリンク送信を効率的に行なうことすること【解決手段】スケジューリング部２０１３は、上りリンクグラントに自装置に割り当てられたＣ−ＲＮＴＩが含まれていた場合、上りリンクグラントが示す無線リソース全体を選択し、上りリンクグラントにＣＢ−ＲＮＴＩが含まれていた場合、上りリンクグラントが示す複数の無線リソースのうち、１つの無線リソースをランダムに選択し、当該選択した無線リソースにＰＵＳＣＨを多重するよう送信部２０７の制御を行なうための制御情報を生成し、制御部２０３に出力する。また、スケジューリング部２０１３は、ＣＢ−ＲＮＴＩを含む複数の上りリンクグラントのブラインドデコーディングに成功した場合、複数の上りリンクグラントそれぞれが示す複数の無線リソース全体のうち、１つの無線リソースをランダムに選択し、当該選択した無線リソースにＰＵＳＣＨを多重するよう送信部２０７の制御を行なうための制御情報を生成し、制御部２０３に出力する。【選択図】図８
2011142532.tif 000002
【特許請求の範囲】
【請求項１】
基地局装置と、前記基地局装置から受信した制御情報に基づいて前記基地局装置に信号を送信する移動局装置を有する無線通信システムであって、
前記基地局装置は、複数のコンテンションベースの信号送信用無線リソースを示す制御情報を制御チャネルで送信し、
前記移動局装置は、前記制御チャネルで前記制御情報を受信し、
前記制御情報が示す前記複数の無線リソースのうち１つの無線リソースを選択し、
前記選択した無線リソースでコンテンションベースの信号を送信することを特徴とする無線通信システム。
【請求項２】
前記移動局装置は、前記制御情報を同じ時間フレームにおいて複数検出した場合、複数の前記制御情報それぞれが示す複数の無線リソース全体の中から１つの無線リソースを選択することを特徴とする請求項１に記載の無線通信システム。
【請求項３】
前記移動局装置は、前記１つの無線リソースをランダムに選択することを特徴とする請求項１または請求項２に記載の無線通信システム。
【請求項４】
前記基地局装置は、複数のコンテンションベースの信号送信用無線リソースを示す制御情報に異なる移動局装置間で共通である第１識別子を含め、
特定の移動局装置宛の１つ以上の信号送信用無線リソースを示す制御情報に特定の移動局装置に割り当てた第２識別子を含め、
前記移動局装置は、前記制御情報に前記第１識別子または前記第２識別子が含まれているかによって前記信号送信用無線リソースの選択方法を変更することを特徴とする請求項１に記載の無線通信システム。
【請求項５】
前記移動局装置は、前記制御情報に第１識別子が含まれている場合、前記制御情報が示す前記複数の信号送信用無線リソースのうち１つの無線リソースを選択し、
前記制御情報に第２識別子が含まれている場合、前記制御情報が示す前記複数の信号送信用無線リソース全てを選択することを特徴とする請求項４に記載の無線通信システム。
【請求項６】
前記制御情報は、信号送信用の無線リソースを周波数領域において連続している物理リソースブロックペアのうち、最も周波数の低い物理リソースブロックペアの番号と、前記物理リソースブロックペアから周波数の高いほうへ連続する物理リソースブロックペアの数によって示し、
前記移動局装置は、前記制御情報に第１識別子が含まれている場合、前記制御情報が示す複数の物理リソースブロックペアのうち、周波数の低い物理リソースブロックペアから特定の数の物理リソースブロックペア毎に信号送信用の無線リソースが構成されていると判断し、前記信号送信用の無線リソースのうち１つの無線リソースを選択し、
前記制御情報に第２識別子が含まれている場合、前記制御情報が示す複数の物理リソースブロックペア全てで１つの信号送信用の無線リソースを構成していると判断し、前記信号送信用の無線リソースを選択することを特徴とする請求項４に記載の無線通信システム。
【請求項７】
基地局装置と、前記基地局装置から受信した制御情報に基づいて前記基地局装置に信号を送信する移動局装置を有する無線通信システムに適用される基地局装置であって、
前記基地局装置は、複数のコンテンションベースの信号送信用無線リソースを示す制御情報を制御チャネルで送信し、
前記無線リソースそれぞれで、不特定の前記移動局装置からの信号を受信することを特徴とする基地局装置。
【請求項８】
基地局装置と、前記基地局装置から受信した制御情報に基づいて前記基地局装置に信号を送信する移動局装置を有する無線通信システムに適用される移動局装置であって、
前記移動局装置は、前記基地局装置が送信した複数のコンテンションベースの信号送信用無線リソースを示す制御情報を制御チャネルで受信し、
前記制御情報が示す前記複数の無線リソースのうち１つの無線リソースを選択し、
前記選択した無線リソースでコンテンションベースの信号を送信することを特徴とする移動局装置。
【請求項９】
基地局装置と、前記基地局装置から受信した制御情報に基づいて前記基地局装置に信号を送信する移動局装置を有する無線通信システムに適用される無線通信方法であって、
前記基地局装置において、複数のコンテンションベースの信号送信用無線リソースを示す制御情報を制御チャネルで送信する手段、
前記無線リソースそれぞれで、不特定の前記移動局装置からの信号を受信する手段を有することを特徴とする無線通信方法。
【請求項１０】
基地局装置と、前記基地局装置から受信した制御情報に基づいて前記基地局装置に信号を送信する移動局装置を有する無線通信システムに適用される無線通信方法であって、
前記移動局装置において、前記基地局装置が送信した複数のコンテンションベースの信号送信用無線リソースを示す制御情報を制御チャネルで受信する手段、
前記制御情報が示す前記複数の無線リソースのうち１つの無線リソースを選択する手段、
前記選択した無線リソースでコンテンションベースの信号を送信する手段を有することを特徴とする無線通信方法。
【請求項１１】
基地局装置と、前記基地局装置から受信した制御情報に基づいて前記基地局装置に信号を送信する移動局装置を有する無線通信システムに適用される集積回路であって、
前記基地局装置において、複数のコンテンションベースの信号送信用無線リソースを示す制御情報を制御チャネルで送信する手段、
前記無線リソースそれぞれで、不特定の前記移動局装置からの信号を受信する手段を有することを特徴とする集積回路。
【請求項１２】
基地局装置と、前記基地局装置から受信した制御情報に基づいて前記基地局装置に信号を送信する移動局装置を有する無線通信システムに適用される集積回路であって、
前記移動局装置において、前記基地局装置が送信した複数のコンベンションベースの信号送信用無線リソースを示す制御情報を制御チャネルで受信する手段、
前記制御情報が示す前記複数の無線リソースのうち１つの無線リソースを選択する手段、
前記選択した無線リソースでコンテンションベースの信号を送信する手段を有することを特徴とする集積回路。
【発明の詳細な説明】
【技術分野】
【０００１】
本発明は、移動局装置が、基地局装置から受信した制御情報に基づいて基地局装置にデータ（信号）を送信する無線通信システム、基地局装置、移動局装置、無線通信方法および集積回路に関する。
【背景技術】
【０００２】
従来から、セルラー移動通信の無線アクセス方式および無線ネットワークの進化（以下、「Long Term Evolution (LTE)」、または、「Evolved Universal Terrestrial Radio Access (EUTRA)」と称する。）が、第三世代パートナーシッププロジェクト（3rd Generation Partnership Project: 3GPP）において検討されている。ＬＴＥでは、基地局装置から移動局装置への無線通信（下りリンク）の通信方式として、マルチキャリア送信である直交周波数分割多重（Orthogonal Frequency Division Multiplexing: OFDM）方式が用いられる。また、移動局装置から基地局装置への無線通信（上りリンク）の通信方式として、シングルキャリア送信であるＳＣ−ＦＤＭＡ（Single-Carrier Frequency Division Multiple Access）方式が用いられる。
【０００３】
ＬＴＥでは、基地局装置は、移動局装置が送信するデータ送信用のチャネルであるＰＵＳＣＨ（Physical Uplink Shared Channel）の無線リソース割り当て、符号化率、変調方式などを決定する。また、基地局装置は、当該無線リソース割り当てなどを示す下りリンク制御情報（Downlink Control Information: DCI）をＰＤＣＣＨ（Physical Downlink Control Channel）を用いて移動局装置に送信する。
【０００４】
また、３ＧＰＰでは、ＬＴＥより広帯域な周波数帯域を利用して、さらに高速なデータの通信を実現する無線アクセス方式および無線ネットワーク（以下、「Long Term Evolution-Advanced (LTE-A)」、または、「Advanced Evolved Universal Terrestrial Radio Access (A-EUTRA)」と称する。）が検討されている。ＬＴＥ−Ａでは、ＬＴＥとの後方互換性(backward compatibility)を持つこと、つまり、ＬＴＥ−Ａの基地局装置が、ＬＴＥ−ＡおよびＬＴＥ両方の移動局装置と同時に無線通信を行うこと、およびＬＴＥ−Ａの移動局装置が、ＬＴＥ−ＡおよびＬＴＥ両方の基地局装置と無線通信を行えるようにすることが求められており、ＬＴＥ−ＡはＬＴＥと同一のチャネル構造を用いることが検討されている。
【０００５】
非特許文献１では、ＬＴＥ−Ａにおいてレイテンシー（latency）とオーバーヘッド（overhead）を改善するためにコンテンションベース上りリンク送信（contention based uplink transmission）を導入することを提案している。コンテンションベース上りリンク送信において、基地局装置は、ＰＵＳＣＨの無線リソース割り当てなどを含み、複数の移動局装置が受信することができる下りリンク制御情報を送信する。移動局装置は、当該下りリンク制御情報を検出し、当該下りリンク制御情報に従ってＰＵＳＣＨを送信する。尚、コンテンションベース上りリンク送信では、複数の移動局装置が同じ下りリンク制御情報を検出することがある。その結果、複数の移動局装置が同じ無線リソースでＰＵＳＣＨを送信し、複数の移動局装置からのＰＵＳＣＨが衝突する。
【０００６】
尚、ＰＵＳＣＨを使うコンテンションベース上りリンク送信は、ランダムアクセスチャネル（Physical Random Access Channel: PRACH）を使うランダムアクセスとは異なる。コンテンションベース上りリンク送信もランダムアクセスも、競合（衝突）の可能性があるという点では一致する。ランダムアクセスのプリアンブル送信に用いられる無線リソースは、基地局装置によって報知されるシステム情報（system information）で示されるＰＲＡＣＨであるのに対して、コンテンションベース上りリンク送信に用いられる無線リソースは、ＰＤＣＣＨでスケジュールされるＰＵＳＣＨであるという点で異なる。
【０００７】
また、ランダムアクセス処理におけるメッセージ３の送信では、ＰＵＳＣＨが使われる。移動局装置は、ＰＲＡＣＨを介したプリアンブル送信に続いて、衝突の可能性を残したまま、ランダムアクセスレスポンス（メッセージ２）でスケジューリングされたＰＵＳＣＨの無線リソースで上りリンクデータを送信する。しかしながら、コンテンションベース上りリンク送信では、ＰＲＡＣＨを介したプリアンブル送信を経ることなく、基地局装置は衝突の可能性のあるＰＵＳＣＨの無線リソースをＰＤＣＣＨでスケジューリングし、移動局装置はスケジューリングされたＰＵＳＣＨの無線リソースで上りリンクデータを送信する。すなわち、コンテンションベース上りリンク送信は、ランダムアクセス処理を伴わない。
【０００８】
また、ＬＴＥでは、スケジューリングリクエスト（Scheduling Request: SR）を使用したアクセスが基本となっている。移動局装置は、上りリンク制御チャネル（Physical Uplink Control Channel: PUCCH）またはＰＲＡＣＨを利用して、上りリンクのデータを送信するためのＰＵＳＣＨの無線リソースを要求する。一方、コンテンションベース上りリンク送信は、移動局装置がスケジューリングリクエストの処理を行うことなく、直接上りリンクデータの送信を行えるため、スケジューリングリクエストを使用するアクセス方法と比較してレイテンシーが改善される。ＰＵＳＣＨは、ＰＲＡＣＨとは異なり、ガードタイム（guard time）を持たないため、上りリンクのタイミング調整（Time Alignment）が有効な移動局装置のみが、コンテンションベース上りリンク送信によって基地局装置にアクセスすることができる。上りリンクのタイミング調整が有効な期間は、上りリンクタイミング情報（Timing Advance Command）を受信してから一定期間（infinityも含む）である。
【先行技術文献】
【非特許文献】
【０００９】
【非特許文献１】"Contention based uplink transmissions", 3GPP TSG RAN WG2 Meeting #66bis, R2-093812, June 29- July 03, 2009.
【発明の概要】
【発明が解決しようとする課題】
【００１０】
しかしながら、従来のコンテンションベース上りリンク送信では、１つの下りリンク制御情報で１つのＰＵＳＣＨの無線リソースしか割り当てることができず、コンテンションベース上りリンク送信を効率的に行なうことができないという問題があった。
【００１１】
本発明は上記の点に鑑みてなされたものであり、その目的は、コンテンションベース上りリンク送信を効率的に行なうことができる無線通信システム、基地局装置、移動局装置、無線通信方法および集積回路を提供することにある。
【課題を解決するための手段】
【００１２】
（１）上記の目的を達成するために、本発明は、以下のような手段を講じた。すなわち、本発明の無線通信システムは、基地局装置と、前記基地局装置から受信した制御情報に基づいて前記基地局装置に信号を送信する移動局装置を有する無線通信システムであって、前記基地局装置は、複数のコンテンションベースの信号送信用無線リソースを示す制御情報を制御チャネルで送信し、前記移動局装置は、前記制御チャネルで前記制御情報を受信し、前記制御情報が示す前記複数の無線リソースのうち１つの無線リソースを選択し、前記選択した無線リソースでコンテンションベースの信号を送信することを特徴としている。
【００１３】
（２）また、本発明の無線通信システムにおいて、前記移動局装置は、前記制御情報を同じ時間フレームにおいて複数検出した場合、複数の前記制御情報それぞれが示す複数の無線リソース全体の中から１つの無線リソースを選択することを特徴としている。
【００１４】
（３）また、本発明の無線通信システムにおいて、前記移動局装置は、前記１つの無線リソースをランダムに選択することを特徴としている。
【００１５】
（４）また、本発明の無線通信システムにおいて、前記基地局装置は、複数のコンテンションベースの信号送信用無線リソースを示す制御情報に異なる移動局装置間で共通である第１識別子を含め、特定の移動局装置宛の１つ以上の信号送信用無線リソースを示す制御情報に特定の移動局装置に割り当てた第２識別子を含め、前記移動局装置は、前記制御情報に前記第１識別子または前記第２識別子が含まれているかによって前記信号送信用無線リソースの選択方法を変更することを特徴としている。
【００１６】
（５）また、本発明の無線通信システムにおいて、前記移動局装置は、前記制御情報に第１識別子が含まれている場合、前記制御情報が示す前記複数の信号送信用無線リソースのうち１つの無線リソースを選択し、前記制御情報に第２識別子が含まれている場合、前記制御情報が示す前記複数の信号送信用無線リソース全てを選択することを特徴としている。
【００１７】
（６）また、本発明の無線通信システムにおいて、前記制御情報は、信号送信用の無線リソースを周波数領域において連続している物理リソースブロックペアのうち、最も周波数の低い物理リソースブロックペアの番号と、前記物理リソースブロックペアから周波数の高いほうへ連続する物理リソースブロックペアの数によって示し、前記移動局装置は、前記制御情報に第１識別子が含まれている場合、前記制御情報が示す複数の物理リソースブロックペアのうち、周波数の低い物理リソースブロックペアから特定の数の物理リソースブロックペア毎に信号送信用の無線リソースが構成されていると判断し、前記信号送信用の無線リソースのうち１つの無線リソースを選択し、前記制御情報に第２識別子が含まれている場合、前記制御情報が示す複数の物理リソースブロックペア全てで１つの信号送信用の無線リソースを構成していると判断し、前記信号送信用の無線リソースを選択することを特徴としている。
【００１８】
（７）また、本発明の基地局装置は、基地局装置と、前記基地局装置から受信した制御情報に基づいて前記基地局装置に信号を送信する移動局装置を有する無線通信システムに適用される基地局装置であって、前記基地局装置は、複数のコンテンションベースの信号送信用無線リソースを示す制御情報を制御チャネルで送信し、前記無線リソースそれぞれで、不特定の前記移動局装置からの信号を受信することを特徴としている。
【００１９】
（８）また、本発明の移動局装置は、基地局装置と、前記基地局装置から受信した制御情報に基づいて前記基地局装置に信号を送信する移動局装置を有する無線通信システムに適用される移動局装置であって、前記移動局装置は、前記基地局装置が送信した複数のコンテンションベースの信号送信用無線リソースを示す制御情報を制御チャネルで受信し、前記制御情報が示す前記複数の無線リソースのうち１つの無線リソースを選択し、前記選択した無線リソースでコンテンションベースの信号を送信することを特徴としている。
【００２０】
（９）また、本発明の無線通信方法は、基地局装置と、前記基地局装置から受信した制御情報に基づいて前記基地局装置に信号を送信する移動局装置を有する無線通信システムに適用される無線通信方法であって、前記基地局装置において、複数のコンテンションベースの信号送信用無線リソースを示す制御情報を制御チャネルで送信する手段、前記無線リソースそれぞれで、不特定の前記移動局装置からの信号を受信する手段を有することを特徴としている。
【００２１】
（１０）また、本発明の無線通信方法は、基地局装置と、前記基地局装置から受信した制御情報に基づいて前記基地局装置に信号を送信する移動局装置を有する無線通信システムに適用される無線通信方法であって、前記移動局装置において、前記基地局装置が送信した複数のコンテンションベースの信号送信用無線リソースを示す制御情報を制御チャネルで受信する手段、前記制御情報が示す前記複数の無線リソースのうち１つの無線リソースを選択する手段、前記選択した無線リソースでコンテンションベースの信号を送信する手段を有することを特徴としている。
【００２２】
（１１）また、本発明の集積回路は、基地局装置と、前記基地局装置から受信した制御情報に基づいて前記基地局装置に信号を送信する移動局装置を有する無線通信システムに適用される集積回路であって、前記基地局装置において、複数のコンテンションベースの信号送信用無線リソースを示す制御情報を制御チャネルで送信する手段、前記無線リソースそれぞれで、不特定の前記移動局装置からの信号を受信する手段を有することを特徴としている。
【００２３】
（１２）また、本発明の集積回路は、基地局装置と、前記基地局装置から受信した制御情報に基づいて前記基地局装置に信号を送信する移動局装置を有する無線通信システムに適用される集積回路であって、前記移動局装置において、前記基地局装置が送信した複数のコンテンションベースの信号送信用無線リソースを示す制御情報を制御チャネルで受信する手段、前記制御情報が示す前記複数の無線リソースのうち１つの無線リソースを選択する手段、前記選択した無線リソースでコンテンションベースの信号を送信する手段を有することを特徴としている。
【発明の効果】
【００２４】
本発明によれば、コンテンションベース上りリンク送信を効率的に行なうことができる。
【図面の簡単な説明】
【００２５】
【図１】本発明の無線通信システムの概念図である。
【図２】本発明の下りリンクの無線フレームの構成の一例を示す概略図である。
【図３】本発明の上りリンクの無線フレームの構成の一例を示す概略図である。
【図４】本発明の上りリンクの無線リソースの割り当て方法の一例を示す概略図である。
【図５】本発明のコンテンションベース上りリンク送信の一例を示すシーケンスチャート図である。
【図６】本発明のコンテンションベース上りリンク送信の無線リソース割り当ての一例を示す図である。
【図７】本発明の基地局装置３の構成を示す概略ブロック図である。
【図８】本発明の移動局装置１の構成を示す概略ブロック図である。
【図９】本発明の基地局装置３の動作の一例を示すフローチャート図である。
【図１０】本発明の移動局装置１の動作の一例を示すフローチャート図である。
【図１１】本発明の変形例のコンテンションベース上りリンク送信の無線リソース割り当ての一例を示す図である。
【発明を実施するための形態】
【００２６】
以下、図面を参照しながら本発明の実施形態について詳しく説明する。
【００２７】
＜無線通信システムについて＞
図１は、本発明の無線通信システムの概念図である。図１において、無線通信システムは、移動局装置１Ａ〜１Ｃ、および基地局装置３を具備する。図１は、基地局装置３から移動局装置１Ａ〜１Ｃへの無線通信（下りリンク）では、同期チャネル（Synchronization Channel: SCH）、下りリンクパイロットチャネル（または、「下りリンク参照信号（Downlink Reference Signal: DL RS）」とも称する。）、報知チャネル（Physical Broadcast Channel: PBCH）、下りリンク制御チャネル（Physical Downlink Control Channel: PDCCH）、下りリンク共用チャネル（Physical Downlink Shared Channel: PDSCH）、マルチキャストチャネル（Physical Multicast Channel: PMCH）、制御フォーマットインディケータチャネル（Physical Control Format Indicator Channel: PCFICH）、ＨＡＲＱインディケータチャネル（Physical Hybrid ARQ Indicator Channel: PHICH）が割り当てられることを示す。
【００２８】
また、図１は、移動局装置１Ａ〜１Ｃから基地局装置３への無線通信（上りリンク）では、上りリンクパイロットチャネル（または、「上りリンク参照信号（Uplink Reference Signal: UL RS)」とも称する。）、上りリンク制御チャネル（Physical Uplink Control Channel: PUCCH）、上りリンク共用チャネル（Physical Uplink Shared Channel: PUSCH）、ランダムアクセスチャネル（Physical Random Access Channel: PRACH）が割り当てられることを示す。以下、移動局装置１Ａ〜１Ｃを移動局装置１という。
【００２９】
＜下りリンク無線フレームについて＞
図２は、本発明の下りリンクの無線フレームの構成の一例を示す概略図である。図２において、横軸は時間領域、縦軸は周波数領域である。図２に示すように、下りリンクの無線フレームは、複数の下りリンクの物理リソースブロック（Physical Resource Block: PRB）ペア（例えば、図２の破線で囲まれた領域）から構成されている。この下りリンクの物理リソースブロックペアは、無線リソースの割り当てなどの単位であり、予め定められた幅の周波数帯（ＰＲＢ帯域幅: １８０kHz）および時間帯（２個のスロット＝１個のサブフレーム（時間フレーム）: １ms）からなる。
【００３０】
１個の下りリンクの物理リソースブロックペアは、時間領域で連続する２個の下りリンクの物理リソースブロック（PRB帯域幅×スロット）から構成される。１個の下りリンクの物理リソースブロック（図２において、太線で囲まれている単位）は、周波数領域において１２個のサブキャリア（１５kHz）から構成され、時間領域において７個のＯＦＤＭシンボル（７１μs）から構成される。時間領域においては、７個のＯＦＤＭ（Orthogonal Frequency Division Multiplexing）シンボルから構成されるスロット（０．５ms）、２個のスロットから構成されるサブフレーム（１ms）、１０個のサブフレームから構成される無線フレーム（１０ms）がある。周波数領域においては、下りリンクの帯域幅に応じて複数の下りリンクの物理リソースブロックが配置される。尚、１個のサブキャリアと１個のＯＦＤＭシンボルから構成されるユニットを下りリンクのリソースエレメントと称する。
【００３１】
以下、下りリンクの無線フレーム内に割り当てられるチャネルについて説明をする。下りリンクの各サブフレームでは、例えば、ＰＤＣＣＨ、ＰＤＳＣＨ、および下りリンク参照信号が割り当てられる。まず、ＰＤＣＣＨについて説明をする。ＰＤＣＣＨはサブフレームの先頭のＯＦＤＭシンボルから（図２において、左斜線でハッチングされた領域）配置される。尚、ＰＤＣＣＨが配置されるＯＦＤＭシンボルの数は１から３でありサブフレーム毎に異なる。ＰＤＣＣＨには、下りリンクアサインメント（Downlink assignment、またDownlink grantとも称する。）、上りリンクグラント（Uplink grant）などの情報フォーマットで構成される、通信の制御に用いられる情報である下りリンク制御情報（Downlink Control Information: DCI）の信号が配置される。
【００３２】
尚、下りリンクアサインメントは、ＰＤＳＣＨに対する変調方式を示す情報、符号化方式を示す情報、無線リソースの割り当てを示す情報、ＨＡＲＱ（Hybrid Automatic Repeat Request）に関する情報、ＴＰＣコマンドなどから構成される。また、上りリンクグラントは、ＰＵＳＣＨに対する変調方式を示す情報、符号化方式を示す情報、無線リソースの割り当てを示す情報、ＨＡＲＱに関する情報、ＴＰＣコマンドなどから構成される。尚、ＨＡＲＱとは、例えば、移動局装置１（基地局装置３）がデータ情報の復号の成否（Acknowledgement/Negative Acknowledgement: ACK/NACK）を基地局装置３（移動局装置１）に送信し、移動局装置１（基地局装置３）が誤りによりデータ情報を復号できない（NACK）場合に基地局装置３（移動局装置１）が信号を再送し、移動局装置１（基地局装置３）が再度受信した信号とすでに受信した信号との合成信号に対して復号処理を行なう技術である。
【００３３】
次に、ＰＤＳＣＨについて説明をする。ＰＤＳＣＨはサブフレームのＰＤＣＣＨが配置されるＯＦＤＭシンボル以外のＯＦＤＭシンボル（図２において、ハッチングされない領域）に配置される。ＰＤＳＣＨには、データ情報（トランスポートブロック: Transport Block）の信号が配置される。ＰＤＳＣＨの無線リソースは、下りリンクアサインメントを用いて割り当てられ、この下りリンクアサインメントを含むＰＤＣＣＨと同一の下りリンクのサブフレームに配置される。下りリンク参照信号については、説明の簡略化のため図１０において図示を省略するが、下りリンク参照信号は周波数領域と時間領域において分散して配置される。
【００３４】
＜ＰＤＣＣＨについて＞
以下、ＰＤＣＣＨについてより詳細に説明する。ＰＤＣＣＨは、１つまたは複数の制御チャネル要素（Control Channel Element: CCE）に配置される。制御チャネル要素は、ＰＤＣＣＨが配置される領域（図２において、左斜線でハッチングされた領域）内の周波数領域及び時間領域において分散している複数の下りリンクのリソースエレメントから構成される。また、複数の制御チャネル要素から共通探索領域（Common Search Space）と移動局装置固有探索領域（User Equipment specific-Search Space）が構成される。
【００３５】
共通探索領域は、複数の移動局装置１間で共通の領域であり、複数の移動局装置１に対するＰＤＣＣＨおよび／または特定の移動局装置１に対するＰＤＣＣＨが配置される領域である。また、共通探索領域は、予め定められた制御チャネル要素から構成される。移動局装置固有探索領域は、特定の移動局装置１に対するＰＤＣＣＨが配置される領域であり、移動局装置１毎に構成される領域である。共通探索領域と移動局装置固有探索領域は、ＰＤＣＣＨが配置される制御チャネル要素の数毎に異なる共通探索領域と移動局装置固有探索領域が構成される。尚、共通探索領域と移動局装置固有探索領域の一部または全部が重複してもよいし、異なる共通探索領域の一部または全部が重複してもよく、同じ移動局装置１に対する異なる移動局装置固有探索領域の一部または全部が重複してもよく、異なる移動局装置１に対する移動局装置固有探索領域の一部または全部が重複してもよい。
【００３６】
下りリンクアサインメント、および上りリンクグラントなどの下りリンク制御情報には複数のフォーマットが用意される。下りリンク制御情報のフォーマットをＤＣＩフォーマット（DCI format）と呼ぶ。例えば、上りリンクグラントのＤＣＩフォーマットは、移動局装置１がＰＵＳＣＨを１つの送信アンテナポートで送信する場合に用いるＤＣＩフォーマット０、移動局装置１がＰＵＳＣＨをＭＩＭＯ（Multiple Input Multiple Output）ＳＭ（Spatial Multiplexing）で送信する場合に用いるＤＣＩフォーマット０Ａなどが用意される。また、下りリンクグラントのＤＣＩフォーマットは、基地局装置３がＰＤＳＣＨを１つの送信アンテナポートまたは複数の送信アンテナポートで送信ダイバーシチ方式を用いて送信する場合に用いるＤＣＩフォーマット１およびＤＣＩフォーマット１Ａ、基地局装置がＰＤＳＣＨをＭＩＭＯ  ＳＭで送信する場合に用いるＤＣＩフォーマット２が用意される。ＤＣＩフォーマットは同じビット数のもの、異なるビット数のものがある。
【００３７】
基地局装置３は、下りリンク制御情報を基に生成した巡回冗長検査（Cyclic Redundancy Check: CRC）符号をＲＮＴＩ（Radio Network Temporary Identity）でスクランブル（scramble）した系列を下りリンク制御情報に付加する。移動局装置１は、巡回冗長検査符号がいずれのＲＮＴＩでスクランブルされているかによって下りリンク制御情報の解釈を変更する。例えば、移動局装置１は、自装置が基地局装置３から割り当てられたＣ−ＲＮＴＩ（Cell-Radio Network Temporary Identity）（第２識別子）で巡回冗長検査符号がスクランブルされていた場合、下りリンク制御情報が自装置宛の無線リソースを示すものだと判断する。また、移動局装置１は、自装置が基地局装置３から割り当てられた、または基地局装置３が報知しているＣＢ−ＲＮＴＩ（Contention Based-Radio Network Temporary Identity）（第１識別子）で巡回冗長検査符号がスクランブルされていた場合、下りリンク制御情報がコンテンションベース上りリンク送信（contention based uplink transmission）用の無線リソースを示すものだと判断する。以下、下りリンク制御情報にＲＮＴＩでスクランブルされた巡回冗長検査符号が付加されていることを、単に下りリンク制御情報にＲＮＴＩが含まれている、またはＰＤＣＣＨにＲＮＴＩが含まれていると表現する。
【００３８】
基地局装置３は、下りリンク制御情報を制御チャネル要素のビット数に合わせて符号化し、共通探索領域または移動局装置固有探索領域に配置する。尚、基地局装置３は、同じビット数のＤＣＩフォーマットは同じ符号化を行い、異なるビット数のＤＣＩフォーマットは異なる符号化を行なう。つまり、ＤＣＩフォーマットのビット数によって基地局装置３がＤＣＩフォーマットに適用する符号化方式が異なるため、ＤＣＩフォーマットのビット数によって移動局装置１におけるＤＣＩフォーマットの復号化の方法が異なる。したがって、移動局装置１はＤＣＩフォーマットのビット数、または復号化の方法の違いからＤＣＩフォーマットの種類を判別することができる。ＤＣＩフォーマットのビット数が同じ場合、ＤＣＩフォーマットにＤＣＩフォーマットの種類を判別するための情報が含まれる、またはＤＣＩフォーマットの種類に対応したＲＮＴＩでスクランブルされた巡回冗長検査符号が付加されるなどの方法を用いて、移動局装置１がＤＣＩフォーマットの種類を判別できるようにする。
【００３９】
移動局装置１は、共通探索領域および移動局装置固有探索領域においてＰＤＣＣＨが配置される候補全てをデコード処理し、巡回冗長検査符号をＲＮＴＩでスクランブルした系列を更にＲＮＴＩでデスクランブル（descramble）し、デスクランブルした巡回冗長検査符号で誤りがないことを検出した場合にＰＤＣＣＨの取得に成功したと判断する。この処理をブラインドデコーディング（blind decoding）と呼ぶ。
【００４０】
尚、下りリンク制御情報がコンテンションベース上りリンク送信用の無線リソースを示す場合、基地局装置３はＤＣＩフォーマット０および／またはＤＣＩフォーマット０ＡにＣＢ−ＲＮＴＩを含める。または、基地局装置３はＤＣＩフォーマット０またはＤＣＩフォーマット０Ａとビット数が同じＤＣＩフォーマット０ＢにＣＢ−ＲＮＴＩを含める。移動局装置１は、下りリンク制御情報が特定の移動局装置１宛の無線リソースを示すか、コンテンションベース上りリンク送信用の無線リソースを示すかを、下りリンク制御情報に含まれるＲＮＴＩから判別することで、移動局装置１は特定の移動局装置１宛の無線リソースを示す下りリンク制御情報と、コンテンションベース上りリンク送信用の無線リソースを示す下りリンク制御情報とで異なるブラインドデコーディングをしないでよくなる。これにより、移動局装置１のブラインドデコーディングの負荷を減らすことができる。
【００４１】
基地局装置３は、Ｃ−ＲＮＴＩを含むＰＤＣＣＨを共通探索領域またはＣ−ＲＮＴＩを割り当てた移動局装置１の移動局装置固有探索領域に配置し、移動局装置１は共通探索領域と移動局装置固有探索領域でＣ−ＲＮＴＩを含むＰＤＣＣＨをブラインドデコーディングする。基地局装置３はページング情報およびシステム情報の更新情報のスケジューリングに使用されるＰ−ＲＮＴＩ（Paging- Radio Network Temporary Identity）を含むＰＤＣＣＨ、およびシステム情報のスケジューリングに使用されるＳＩ−ＲＮＴＩ（System Information- Radio Network Temporary Identity）を含むＰＤＣＣＨ、およびランダムアクセス応答のスケジューリングに使用されるＲＡ−ＲＮＴＩ（Random Access- Radio Network Temporary Identity）を含むＰＤＣＣＨを共通探索領域に配置し、移動局装置１は共通探索領域でＰ−ＲＮＴＩを含むＰＤＣＣＨ、およびＳＩ−ＲＮＴＩを含むＰＤＣＣＨ、およびＲＡ−ＲＮＴＩを含むＰＤＣＣＨをブラインドデコーディングする。
【００４２】
基地局装置３はＣＢ−ＲＮＴＩを含むＰＤＣＣＨを、共通探索領域に配置し、移動局装置１は共通探索領域でＣＢ−ＲＮＴＩを含むＰＤＣＣＨをブラインドデコーディングする。このように、ＣＢ−ＲＮＴＩを含むＰＤＣＣＨを共通探索領域に配置することで、基地局装置３と無線通信を行なっている複数の移動局装置１がＣＢ−ＲＮＴＩを含むＰＤＣＣＨを検出する機会を均等にすることができる。
【００４３】
尚、基地局装置３はＣＢ−ＲＮＴＩを含むＰＤＣＣＨを、共通探索領域または移動局装置固有探索領域に配置し、移動局装置１は共通探索領域と移動局装置固有探索領域でＣＢ−ＲＮＴＩを含むＰＤＣＣＨをブラインドデコーディングするようにしてもよい。基地局装置３は移動局装置固有探索領域にＣＢ−ＲＮＴＩを含むＰＤＣＣＨを配置する場合、複数の移動局装置３の移動局装置固有探索領域が重複している部分に配置するようにすることで、移動局装置固有探索領域にＣＢ−ＲＮＴＩを含むＰＤＣＣＨを配置した場合でも、複数の移動局装置１がＣＢ−ＲＮＴＩを含むＰＤＣＣＨを検出することができる。このように、ＣＢ−ＲＮＴＩを含むＰＤＣＣＨを共通探索領域または移動局装置固有探索領域に配置することで、ＣＢ−ＲＮＴＩを含むＰＤＣＣＨの配置の自由度が増す。
【００４４】
尚、基地局装置３から適切に上りリンクの無線リソースを割り当てられている移動局装置１はコンテンションベース上りリンク送信を行なわずに、自装置に割り当てられた無線リソースを用いて基地局装置３にＰＵＳＣＨを送信すればよい。そこで、本発明の移動局装置１の上位層は上りリンクで送信するデータ情報があるが上りリンクの無線リソースが割り当てられない場合に物理層（受信部）にＣＢ−ＲＮＴＩを含むＰＤＣＣＨのブラインドデコーディングをするよう指示をし、移動局装置１の物理層は上位層から指示をされた場合のみＣＢ−ＲＮＴＩを含むＰＤＣＣＨのブラインドデコーディングをする。これにより、移動局装置１は必要な場合のみＣＢ−ＲＮＴＩを含むＰＤＣＣＨをブラインドデコーディングするため、ＣＢ−ＲＮＴＩを含むＰＤＣＣＨに対するブラインドデコーディングを効率的に行なうことができる。また、コンテンションベース上りリンク送信の衝突確率を低くするために、移動局装置１毎にＣＢ−ＲＮＴＩを含むＰＤＣＣＨに対するブラインドデコーディングを行なうサブフレームを、例えば、偶数番号または奇数番号のサブフレームに制限してもよい。
【００４５】
＜上りリンク無線フレームについて＞
図３は、本発明の上りリンクの無線フレームの構成の一例を示す概略図である。図３において、横軸は時間領域、縦軸は周波数領域である。図３に示すように、上りリンクの無線フレームは、複数の上りリンクの物理リソースブロックペア（例えば、図３の破線で囲まれた領域）から構成されている。この上りリンクの物理リソースブロックペアは、無線リソースの割り当てなどの単位であり、予め定められた幅の周波数帯（ＰＲＢ帯域幅: １８０ｋＨｚ）および時間帯（２個のスロット＝１個のサブフレーム: 1ｍｓ）からなる。
【００４６】
１個の上りリンクの物理リソースブロックペアは、時間領域で連続する２個の上りリンクの物理リソースブロック（ＰＲＢ帯域幅×スロット）から構成される。１個の上りリンクの物理リソースブロック（図３において、太線で囲まれている単位）は、周波数領域において１２個のサブキャリア（１５ｋＨｚ）から構成され、時間領域において７個のＳＣ−ＦＤＭＡ（Single-Carrier Frequency Division Multiple Access）シンボル（７１μｓ）から構成される。時間領域においては、７個のＳＣ−ＦＤＭＡシンボルから構成されるスロット（０．５ｍｓ）、２個のスロットから構成されるサブフレーム（１ｍｓ）、１０個のサブフレームから構成される無線フレーム（１０ｍｓ）がある。周波数領域においては、上りリンクの帯域幅に応じて複数の上りリンクの物理リソースブロックが配置される。尚、１個のサブキャリアと１個のＳＣ−ＦＤＭＡシンボルから構成されるユニットを上りリンクのリソースエレメントと称する。
【００４７】
以下、上りリンクの無線フレーム内に割り当てられるチャネルについて説明をする。上りリンクの各サブフレームでは、例えば、ＰＵＣＣＨ、ＰＵＳＣＨ、および上りリンク参照信号が割り当てられる。まず、ＰＵＣＣＨについて説明をする。ＰＵＣＣＨは、上りリンクの帯域幅の両端の上りリンクの物理リソースブロックペア（図３において、左斜線でハッチングされた領域）に割り当てられる。ＰＵＣＣＨには、下りリンクのチャネル品質を示すチャネル品質情報（Channel Quality Information: CQI）、上りリンクの無線リソースの割り当ての要求を示すスケジューリング要求（Scheduling Request: SR）、ＰＤＳＣＨに対する受信応答であるＡＣＫ／ＮＡＣＫなど、通信の制御に用いられる情報である上りリンク制御情報（Uplink Control Information: UCI）の信号が配置される。
【００４８】
次に、ＰＵＳＣＨについて説明をする。ＰＵＳＣＨは、ＰＵＣＣＨが配置される上りリンクの物理リソースブロック以外の上りリンクの物理リソースブロックペア（図３において、ハッチングされない領域）に割り当てられる。ＰＵＳＣＨには、上りリンク制御情報、および／または上りリンク制御情報以外の情報であるデータ情報（トランスポートブロック: Transport Block）の信号が配置される。ＰＵＳＣＨの無線リソースは、上りリンクグラントを用いて割り当てられ、移動局装置１が当該上りリンクグラントを含むＰＤＣＣＨを受信した下りリンクのサブフレームから所定の時間後の上りリンクのサブフレーム（例えば、ＰＤＣＣＨを受信した下りリンクのサブフレームから４つ後の上りリンクのサブフレーム）に配置される。
【００４９】
図４は、本発明の上りリンクの無線リソースの割り当て方法の一例を示す概略図である。図４において、横軸は周波数領域であり、周波数領域において周波数の低い物理リソースブロックペアから順に番号をつけている。上りリンクグラント（ＤＣＩフォーマット０および／またはＤＣＩフォーマット０Ａ）に含まれる無線リソース割り当てを示す情報は、周波数領域において連続している物理リソースブロックペアのうち、最も周波数の低い物理リソースブロックペアの番号と、当該物理リソースブロックペアから周波数の高いほうへ連続して割り当てられる物理リソースブロックペアの数を示す。
【００５０】
図４（ａ）は、Ｃ−ＲＮＴＩを含む上りリンクグラント（ＤＣＩフォーマット０および／またはＤＣＩフォーマット０Ａ）における無線リソースの割り当て方法の説明をする図である。図４（ａ）では、最も周波数の低い物理リソースブロックペアの番号として５番、連続する物理リソースブロックペアの数として６つの場合、つまり５番から１０番の物理リソースブロックペアを割り当てている場合を示している。移動局装置１は、Ｃ−ＲＮＴＩを含む上りリンクグラントを受信した場合、上りリンクグラントが示す全ての物理リソースブロックペア（図４（ａ）において、太線で囲まれた５番から１０番の物理リソースブロックペア）が割り当てられていると判断する。
【００５１】
図４（ｂ）は、ＣＢ−ＲＮＴＩを含む上りリンクグラント（ＤＣＩフォーマット０および／またはＤＣＩフォーマット０Ａ）における無線リソースの割り当て方法の説明をする図である。図４（ｂ）では、最も周波数の低い物理リソースブロックペアの番号として５番、連続する物理リソースブロックペアの数として６つの場合、つまり５番から１０番の物理リソースブロックペアを割り当てている場合を示している。移動局装置１は、ＣＢ−ＲＮＴＩを含む上りリンクグラントを受信した場合、上りリンクグラントが示す全ての物理リソースブロックペア（図４（ｂ）において５番から１０番の物理リソースブロックペア）の先頭から予め定められた数の物理リソースブロックペア毎にコンテンションベース上りリンク送信用の無線リソースを構成していると判断する。
【００５２】
図４（ｂ）では、上りリンクグラントが示す全ての物理リソースブロックペアの先頭（最も周波数の低いほう）から２つの物理リソースブロックペア毎にコンテンションベース上りリンク送信用の無線リソースを構成しており、５番目と６番目の物理リソースブロックペア、７番目と８番目の物理リソースブロックペア、９番目と１０番目の物理リソースブロックペアから構成される３つのコンテンションベース上りリンク送信用の無線リソース（図４（ｂ）において、太線で囲まれた単位）が構成される。このように、上りリンクグラントにＣＢ−ＲＮＴＩが含まれる場合には、上りリンクグラントにＣ−ＲＮＴＩが含まれている場合と比較して、移動局装置１が上りリンクグラントに含まれる無線リソース割り当てを示す情報の解釈を少し修正するだけでコンテンションベース上りリンク送信用の無線リソースの割り当てを認識することができる。これにより、新たな制御情報フィールドから構成される新しいＤＣＩフォーマットを用いずに本発明を適用できるため、移動局装置１の実装の複雑さを低く維持することができる。
【００５３】
尚、図４において１つのコンテンションベース上りリンク送信用の無線リソースは２つの物理リソースブロックペアから構成されたが、１つまたは３つ以上の物理リソースブロックペアからコンテンションベース上りリンク送信用の無線リソースが構成されてもよい。また、コンテンションベース上りリンク送信用の無線リソースを構成する物理リソースブロックペアの数を基地局装置３と移動局装置１間で予め定めずに、コンテンションベース上りリンク送信用の無線リソースを構成する物理リソースブロックペアの数を示す情報を上りリンクグラントや特定の移動局装置１に対する無線リソース制御信号（Radio Resource Control Signal）に含め、移動局装置１に通知するようにしてもよい。無線リソース制御信号は、ＰＤＳＣＨに配置されるデータ情報であり、ＰＵＳＣＨの送信電力に関するパラメータや、スケジューリング要求の無線リソースなど無線リソースの設定に関する情報を含んでいる。尚、図４において、上りリンクグラントに含まれる無線リソース割り当てを示す情報は直接物理リソースブロックペアを示していたが、最初に上りリンクグラントに含まれる無線リソース割り当てが仮想リソースブロック（Virtual Resource Block: VRB）の割り当てを示し、次に仮想リソースブロックから物理リソースブロックへ予め定められた規則で対応付けするようにしてもよい。
【００５４】
また、ＤＣＩフォーマット０および／またはＤＣＩフォーマット０Ａが周波数領域において連続した物理リソースブロックペアから構成される無線リソース（クラスター: cluster）を２つ以上示す場合、移動局装置１はクラスターそれぞれが１つのコンテンションベース上りリンク送信用の無線リソースだと解釈してもよい。ＤＣＩフォーマット０および／またはＤＣＩフォーマット０Ａに含まれる無線リソース割り当てを示す情報が複数のクラスターを示す場合、無線リソース割り当てを示す情報はクラスターそれぞれに対して最も周波数の低い物理リソースブロックペアと、当該物理リソースブロックペアから周波数の高いほうへ連続している物理リソースブロックペアの数を示す。尚、ＤＣＩフォーマット０および／またはＤＣＩフォーマット０Ａが無線リソース割り当てを示す複数のクラスターは周波数領域において連続していてもよいし、非連続であってもよいし、クラスターの数は３つ以上であってもよい。
【００５５】
また、基地局装置３がＤＣＩフォーマット０ＢにＣＢ−ＲＮＴＩを含める場合、ＤＣＩフォーマット０Ｂに含める無線リソース割り当てを示す情報のビット数は、ＤＣＩフォーマット０および／またはＤＣＩフォーマット０Ａに含める無線リソース割り当てを示す情報のビット数と異なってもよいし、同じでもよい。また、ＤＣＩフォーマット０Ｂに含める無線リソース割り当てを示す情報による無線リソースの割り当て方法と、ＤＣＩフォーマット０および／またはＤＣＩフォーマット０Ａに含める無線リソース割り当てを示す情報による無線リソースの割り当て方法は異なってもよいし、同じでもよい。
【００５６】
例えば、システム帯域内の全ての物理リソースブロックペアが予め決められた数の物理リソースブロックペアからなる物理リソースブロックグループに構成され、物理リソースブロックグループ単位で無線リソースの割り当てを示す方法を、ＤＣＩフォーマット０Ｂに用いられる無線リソースの割り当て方法として用いてもよい。物理リソースブロックグループは、最も周波数の低い物理リソースブロックペアから、予め決められた数の物理リソースブロックペアから順に構成される。ＤＣＩフォーマット０Ｂに含まれる無線リソース割り当てを示す情報は、各ビットが各物理リソースブロックグループの無線リソースの割り当ての可否を示すビットマップから構成される。
【００５７】
＜コンテンションベース上りリンク送信について＞
図５は、本発明のコンテンションベース上りリンク送信の一例を示すシーケンスチャート図である。基地局装置３は、移動局装置１それぞれに異なるＣ−ＲＮＴＩを割り当て、当該割り当てたＣ−ＲＮＴＩを移動局装置１それぞれに通知する（ステップＳ１００）。また、基地局装置３は、移動局装置１間で共通のＣＢ−ＲＮＴＩのコードを決定し、ＣＢ−ＲＮＴＩをコンテンションベース上りリンク送信を行なう移動局装置１に通知する（ステップＳ１０１）。尚、ＣＢ−ＲＮＴＩのコードを基地局装置３と移動局装置１間で予め決めておくことで、ステップＳ１０１を省略することができる。
【００５８】
基地局装置３は、コンテンションベース上りリンク送信用の無線リソースを割り当て、当該無線リソース割り当てを示す情報とＣＢ−ＲＮＴＩを含むＰＤＣＣＨを共通探索領域または任意の移動局装置１に対する移動局装置固有探索領域に配置し、移動局装置１に送信する（ステップＳ１０２）。移動局装置１は、ＣＢ−ＲＮＴＩを含む１つまたは複数のＰＤＣＣＨの検出に成功した場合、検出したＣＢ−ＲＮＴＩを含むＰＤＣＣＨが示す複数の無線リソースの中から１つの無線リソースを選択し、コンテンションベース上りリンク送信を行なう（ステップＳ１０３）。尚、ステップＳ１０３において、移動局装置１はＰＵＳＣＨにＣ−ＲＮＴＩを含めて送信し、基地局装置３はＰＵＳＣＨに含まれるＣ−ＲＮＴＩからいずれの移動局装置１がコンテンションベース上りリンク送信を行なったかを判別することができる。尚、基地局装置３における無線リソースの割り当て方法、および移動局装置１の無線リソースの選択方法は、図６において詳述する。
【００５９】
基地局装置３は、特定の移動局装置１に対して無線リソースを割り当て、当該無線リソース割り当てを示す情報とＣ−ＲＮＴＩを含むＰＤＣＣＨを共通探索領域またはＣ−ＲＮＴＩを割り当てた移動局装置１の移動局装置固有探索領域に配置し、移動局装置１に送信する（ステップＳ１０４）。移動局装置１は、自装置に割り当てられたＣ−ＲＮＴＩを含むＰＤＣＣＨの検出に成功した場合、検出したＣ−ＲＮＴＩを含むＰＤＣＣＨが示す無線リソース全てを選択し、ＰＵＳＣＨを送信する（ステップＳ１０５）。
【００６０】
図６は、本発明のコンテンションベース上りリンク送信用の無線リソース割り当ての一例を示す図である。図６において、横軸は時間領域、縦軸は周波数領域であり、１つの上りリンクのサブフレームのみを図示している。図６に示すように、上りリンクのサブフレーム内でＣ−ＲＮＴＩを含むＰＤＣＣＨで割り当てられる特定の移動局装置１に対するＰＵＳＣＨの無線リソース（図６において、斜線でハッチングされた領域）と、ＣＢ−ＲＮＴＩを含むＰＤＣＣＨで割り当てられる複数の移動局装置１間で共通のコンテンションベース上りリンク送信用のＰＵＳＣＨの無線リソース（図６において、ドットでハッチングされた領域）は周波数多重される。
【００６１】
移動局装置１は、自装置に割り当てられたＣ−ＲＮＴＩを含むＰＤＣＣＨを検出した場合、Ｃ−ＲＮＴＩを含むＰＤＣＣＨで割り当てられる自装置に対するＰＵＳＣＨの無線リソース（図６において、斜線でハッチングされた領域）を選択し、当該選択した無線リソースでＰＵＳＣＨを送信する。また、移動局装置１は、ＣＢ−ＲＮＴＩを含むＰＤＣＣＨを１つ検出した場合、ＣＢ−ＲＮＴＩを含むＰＤＣＣＨが示す複数のコンテンションベース上りリンク送信用のＰＵＳＣＨの無線リソース（図６において、斜線でハッチングされた領域）の中から１つの無線リソースを選択し、当該選択した無線リソースでＰＵＳＣＨを送信する。尚、移動局装置１がＣＢ−ＲＮＴＩを含むＰＤＣＣＨを複数検出した場合、ＣＢ−ＲＮＴＩを含むＰＤＣＣＨそれぞれが示す複数のコンテンションベース上りリンク送信用のＰＵＳＣＨの無線リソース（図６において、斜線でハッチングされた領域）全体の中から１つの無線リソースを選択する。また、移動局装置１は複数の無線リソースの中からランダムに１つの無線リソースを選択する。
【００６２】
このように、１つのＣＢ−ＲＮＴＩを含むＰＤＣＣＨが複数のコンテンションベース上りリンク送信用のＰＵＳＣＨの無線リソースを示すようにすることで、１つのＰＤＣＣＨで１つのＰＵＳＣＨの無線リソースしか示さない場合と比較して、下りリンク制御情報つまりＰＤＣＣＨのオーバーヘッドを減らすことができる。また、移動局装置１が検出したＣＢ−ＲＮＴＩを含む１つまたは複数のＰＤＣＣＨが示す複数のコンテンションベース上りリンク送信用の無線リソースの中から１つの無線リソースを選択するようにすることで、複数の移動局装置１がＣＢ−ＲＮＴＩを含む同じＰＤＣＣＨを検出した場合に、複数の移動局装置１が送信するコンテンションベース上りリンク送信の信号が衝突してしまう確率を下げることができる。尚、図６において、ＣＢ−ＲＮＴＩを含む１つのＰＤＣＣＨが示す複数のコンテンションベース上りリンク送信用のＰＵＳＣＨ無線リソースは、全て同じサブフレームに配置されるが、ＣＢ−ＲＮＴＩを含む１つのＰＤＣＣＨが示す複数のコンテンションベース上りリンク送信用のＰＵＳＣＨの無線リソースが、異なる上りリンクのサブフレームに配置されてもよい。
【００６３】
尚、複数の無線リソースから１つの無線リソースを選択する方法はランダムではなく、移動局装置１が送信できずにいる上りリンクのデータ量が多い場合は無線リソースの多いコンテンションベース上りリンク送信用の無線リソースのグループの中から選択するなど他の方法でもよい。例えば、上りリンクのデータ量が多い移動局装置１は、６つの物理リソースブロックペアからコンテンションベース上りリンク送信用の１つの無線リソースが構成されるグループから無線リソースを選択し、上りリンクのデータ量が多くない移動局装置１は、２個の物理リソースブロックペアからコンテンションベース上りリンク送信用の１個の無線リソースが構成されるグループから無線リソースを選択する。例えば、コンテンションベース上りリンク送信用の無線リソースのグループとは、異なる上りリンクグラントによって示される無線リソースのことを意味する。更に、異なるコンテンションベース上りリンク送信用の無線リソースのグループは、異なるコードのＣＢ−ＲＮＴＩが用いられてもよい。
【００６４】
＜基地局装置３の構成について＞
図７は、本発明の基地局装置３の構成を示す概略ブロック図である。図示するように、基地局装置３は、上位層処理部１０１、制御部１０３、受信部１０５、送信部１０７、チャネル測定部１０９、および、送受信アンテナ１１１、を含んで構成される。また、上位層処理部１０１は、無線リソース制御部１０１１、スケジューリング部１０１３と下りリンク制御情報生成部１０１５を含んで構成される。また、受信部１０５は、復号化部１０５１、復調部１０５３、多重分離部１０５５と無線受信部１０５７を含んで構成される。また、送信部１０７は、符号化部１０７１、変調部１０７３、多重部１０７５、無線送信部１０７７と下りリンク参照信号生成部１０７９を含んで構成される。
【００６５】
上位層処理部１０１は、パケットデータ統合プロトコル（Packet Data Convergence Protocol: PDCP）層、無線リンク制御（Radio Link Control: RLC）層、無線リソース制御（Radio Resource Control: RRC）層の処理を行う。また、上位層処理部１０１はスケジューリング部１０１３などがスケジューリング結果などに基づき、受信部１０５、および送信部１０７の制御を行うために制御情報を生成し、制御部１０３に出力する。上位層処理部１０１が備える無線リソース制御部１０１１は、下りリンクのＰＤＳＣＨに配置する情報を生成、又は上位ノードから取得し、送信部１０７に出力する。また、無線リソース制御部１０１１は、移動局装置１各々の各種設定情報の管理をする。例えば、無線リソース制御部１０１１は、移動局装置１にＣ−ＲＮＴＩを割り当て、ＣＢ−ＲＮＴＩにコードを割り当てるなどＲＮＴＩの管理を行なう。
【００６６】
上位層処理部１０１が備えるスケジューリング部１０１３は、移動局装置１からＰＵＣＣＨで通知された上りリンク制御情報（ＡＣＫ／ＮＡＣＫ、チャネル品質情報、スケジューリング要求）、および移動局装置１から通知されたバッファの状況や無線リソース制御部１０１１が設定した移動局装置１各々の各種設定情報に基づき、無線リソースの割り当て、符号化方式の設定、変調方式の設定などのスケジューリングを行なう。スケジューリング部１０１３は、上りリンクの無線リソースの中から、特定の移動局装置１がＰＵＳＣＨを配置する無線リソース、および不特定の移動局装置1がコンテンションベース上りリンク送信に用いるＰＵＳＣＨを配置する無線リソースを割り当てる。スケジューリング部１０１３は、特定の移動局装置１に対してＰＵＳＣＨを配置する無線リソースを割り当てる際に、チャネル測定部１０９から入力された上りリンクのチャネル測定結果を基に、チャネル品質の良い無線リソースを優先的に割り当てる。次に、スケジューリング部１０１３は、特定の移動局装置１に割り当てていない無線リソースの中からコンテンションベース上りリンク送信用の無線リソースを割り当てる。
【００６７】
また、スケジューリング部１０１３は、下りリンクの無線リソースの中から、ＰＤＳＣＨを配置する無線リソースを決定する。スケジューリング部１０１３は、当該無線リソースの割り当てを示す下りリンク制御情報を生成するよう下りリンク制御情報生成部１０１５に制御情報を出力する。また、スケジューリング部１０１３は、共通探索領域または移動局装置固有探索領域の中から下りリンク制御情報生成部１０１５が生成した下りリンク制御情報を配置する１つまたは複数の制御チャネル要素を割り当てる。スケジューリング部１０１３は、Ｃ−ＲＮＴＩを含む下りリンク制御情報を配置する１つまたは複数の制御チャネル要素を、Ｃ−ＲＮＴＩを割り当てた移動局装置１の移動局装置固有探索領域と共通探索領域の中から選択する。スケジューリング部１０１３は、ＣＢ−ＲＮＴＩを含む下りリンク制御情報を配置する１つまたは複数の制御チャネル要素を、共通探索領域、または共通探索領域と複数の移動局装置１の移動局装置固有探索領域が重複している領域の中から選択する。尚、基地局装置３がＣＢ−ＲＮＴＩを移動局装置固有探索領域に配置する場合、複数の移動局装置１の移動局装置固有探索領域が重複していなくてもよい。
【００６８】
上位層処理部１０１が備える下りリンク制御情報生成部１０１５は、スケジューリング部１０１３から入力された制御情報に基づいて、上りリンクまたは下りリンクの無線リソースの割り当てを示す下りリンク制御情報を生成する。また、下りリンク制御情報生成部１０１５は、生成した下りリンク制御情報から巡回冗長検査符号を生成し、生成した巡回冗長検査符号をＲＮＴＩでスクランブルし、下りリンク制御情報に付加する。下りリンク制御情報生成部１０１５は、下りリンク制御情報が特定の移動局装置１に対する無線リソースの割り当てを示すものである場合、巡回冗長検査符号を当該移動局装置１に割り当てたＣ−ＲＮＴＩでスクランブルし、下りリンク制御情報がコンテンションベース上りリンク送信に対する無線リソース割り当てを示すものである場合、巡回冗長検査符号をＣＢ−ＲＮＴＩでスクランブルする。また、下りリンク制御情報生成部１０１５は、Ｃ−ＲＮＴＩを含む下りリンク制御情報と、ＣＢ−ＲＮＴＩを含む下りリンク制御情報を同じビット数のＤＣＩフォーマット、または同じＤＣＩフォーマットとして生成する。
【００６９】
制御部１０３は、上位層処理部１０１からの制御情報に基づいて、受信部１０５、および送信部１０７の制御を行う制御信号を生成する。制御部１０３は、生成した制御信号を受信部１０５、および送信部１０７に出力して受信部１０５、および送信部１０７の制御を行う。
【００７０】
受信部１０５は、制御部１０３から入力された制御信号に従って、送受信アンテナ１１１を介して移動局装置１から受信した受信信号を分離、復調、復号し、復号した情報を上位層処理部１０１に出力する。無線受信部１０５７は、送受信アンテナ１１１を介して受信した上りリンクの信号を、中間周波数に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去する。無線受信部１０５７は、ガードインターバルを除去した信号に対して高速フーリエ変換（Fast Fourier Transform: FFT）を行い、周波数領域の信号を抽出し多重分離部１０５５に出力する。
【００７１】
多重分離部１０５５は、無線受信部１０５７から入力された信号をＰＵＣＣＨ、ＰＵＳＣＨ、上りリンク参照信号などの信号に分離する。尚、この分離は、予め基地局装置３がスケジューリング部１０１３で決定し、各移動局装置１に通知した無線リソースの割り当て情報に基づいて行われる。また、多重分離部１０５５は、チャネル測定部１０９から入力された伝搬路の推定値から、ＰＵＣＣＨとＰＵＳＣＨの伝搬路の補償を行なう。また、多重分離部１０５５は、分離した上りリンク参照信号をチャネル測定部１０９に出力する。
【００７２】
復調部１０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、２位相偏移変調（Binary Phase Shift Keying: BPSK）、４相位相偏移変調（QuadraturePhase Shift Keying: QPSK）、１６値直交振幅変調（16Quadrature Amplitude Modulation: 16QAM）、６４値直交振幅変調（64Quadrature Amplitude Modulation: 64QAM）等の予め定められた、または基地局装置３が移動局装置１各々に下りリンク制御情報で予め通知した変調方式を用いて受信信号の復調を行なう。
【００７３】
復号化部１０５１は、復調したＰＵＣＣＨとＰＵＳＣＨの符号化ビットを、予め定められた符号化方式の、予め定められた、又は基地局装置３が移動局装置１に上りリンクグラントで予め通知した符号化率で復号を行ない、復号したデータ情報と、上りリンク制御情報を上位層処理部１０１へ出力する。チャネル測定部１０９は、多重分離部１０５５から入力された上りリンク参照信号から伝搬路の推定値、チャネルの品質などを測定し、多重分離部１０５５および上位層処理部１０１に出力する。
【００７４】
送信部１０７は、制御部１０３から入力された制御信号に従って、下りリンク参照信号を生成し、上位層処理部１０１から入力されたデータ情報、下りリンク制御情報を符号化、および変調し、ＰＤＣＣＨ、ＰＤＳＣＨ、および下りリンク参照信号を多重して、送受信アンテナ１１１を介して移動局装置１に信号を送信する。
【００７５】
符号化部１０７１は、上位層処理部１０１から入力された下りリンク制御情報、およびデータ情報を、ターボ符号化、畳込み符号化、ブロック符号化等の予め定められた、またはスケジューリング部１０１３が決定した符号化を行う。変調部１０７３は、符号化部１０７１から入力された符号化ビットをＱＰＳＫ、１６ＱＡＭ、６４ＱＡＭ等の予め定められた、またはスケジューリング部１０１３が決定した変調方式で変調する。下りリンク参照信号生成部１０７９は、基地局装置３を識別するためのセル識別子（Cell ID）などを基に予め定められた規則で求まる、移動局装置１が既知の系列を下りリンク参照信号として生成する。多重部１０７５は、変調した各チャネルと生成した下りリンク参照信号を多重する。
【００７６】
無線送信部１０７７は、多重した変調シンボルを逆高速フーリエ変換（Inverse Fast Fourier Transform: IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１１１に出力して送信する。
【００７７】
＜移動局装置１の構成について＞
図８は、本実施形態に係る移動局装置１の構成を示す概略ブロック図である。図示するように、移動局装置１は、上位層処理部２０１、制御部２０３、受信部２０５、送信部２０７、チャネル測定部２０９、および、送受信アンテナ２１１、を含んで構成される。また、上位層処理部２０１は、無線リソース制御部２０１１、スケジューリング部２０１３とブラインド復号制御部２０１５を含んで構成される。また、受信部２０５は、復号化部２０５１、復調部２０５３、多重分離部２０５５と無線受信部２０５７を含んで構成される。また、送信部２０７は、符号化部２０７１、変調部２０７３、多重部２０７５、無線送信部２０７７と上りリンク参照信号生成部２０７９を含んで構成される。
【００７８】
上位層処理部２０１は、ユーザの操作等により生成された上りリンクのデータ情報を、送信部２０７に出力する。また、上位層処理部２０１は、パケットデータ統合プロトコル層、無線リンク制御層、無線リソース制御層の処理を行う。また、上位層処理部２０１は下りリンク制御情報などに基づき、受信部２０５、および送信部２０７の制御を行うために制御情報を生成し、制御部２０３に出力する。上位層処理部２０１が備える無線リソース制御部２０１１は、自装置の各種設定情報の管理を行なう。例えば、無線リソース制御部２０１１は、Ｃ−ＲＮＴＩやＣＢ−ＲＮＴＩなどのＲＮＴＩの管理を行なう。また、無線リソース制御部２０１１は、上りリンクの各チャネルに配置する情報を生成し送信部２０７に出力する。
【００７９】
上位層処理部２０１が備えるブラインド復号制御部２０１５は、移動局装置１が検出すべきＤＣＩフォーマットの下りリンク制御情報を、共通探索領域および／または移動局装置固有探索領域においてブラインドデコーディングするよう受信部２０５の制御を行なうための制御情報を生成し、制御部２０３に出力する。ブラインド復号制御部２０１５は、Ｃ−ＲＮＴＩを含むＰＤＣＣＨを共通探索領域および移動局装置固有探索領域でブラインドデコーディングし、ＣＢ−ＲＮＴＩを含むＰＤＣＣＨを共通探索領域、または共通探索領域および移動局装置固有探索領域でブランインドデコーディングするよう受信部２０５の制御を行なうための制御情報を生成し、制御部２０３に出力する。尚、ブラインド復号制御部２０１５は、常にＣＢ−ＲＮＴＩを含むＰＤＣＣＨをブラインドデコーディングするのではなく、ＰＵＳＣＨに配置するデータ情報があるにも係らず自装置専用のＰＵＳＣＨの無線リソースが基地局装置３から割り当てられない場合のみ、受信部２０５がＣＢ−ＲＮＴＩを含むＰＤＣＣＨをブラインドでコーディングするよう受信部２０５の制御を行なうための制御情報を生成し、制御部２０３に出力するようにしてもよい。
【００８０】
上位層処理部２０１が備えるスケジューリング部２０１３は、基地局装置３からＰＤＣＣＨで通知された下りリンク制御情報、およびＰＤＳＣＨで通知された無線リソース制御信号で設定された無線リソース制御部２０１１が管理する自装置の各種設定情報に基づき、受信部２０５、および送信部２０７の制御を行うために制御情報を生成し、制御部２０３に出力する。スケジューリング部２０１３は、受信部２０５から入力された下りリンクアサインメントに基づいて、ＰＤＳＣＨの多重分離、復調、復号をするよう受信部２０５の制御を行い、受信部２０５から入力された上りリンクグラントに基づいて、ＰＵＳＣＨの符号化、変調、多重を行なうよう送信部２０７の制御を行なうための制御情報を生成し、制御部２０３に出力する。
【００８１】
また、スケジューリング部２０１３は、上りリンクグラントに自装置に割り当てられたＣ−ＲＮＴＩが含まれていた場合、上りリンクグラントが示す無線リソース全体を選択し、上りリンクグラントにＣＢ−ＲＮＴＩが含まれていた場合、上りリンクグラントが示す複数の無線リソースのうち、１つの無線リソースをランダムに選択し、当該選択した無線リソースにＰＵＳＣＨを多重するよう送信部２０７の制御を行なうための制御情報を生成し、制御部２０３に出力する。また、スケジューリング部２０１３は、ＣＢ−ＲＮＴＩを含む複数の上りリンクグラントのブラインドデコーディングに成功した場合、複数の上りリンクグラントそれぞれが示す複数の無線リソース全体のうち、１つの無線リソースをランダムに選択し、当該選択した無線リソースにＰＵＳＣＨを多重するよう送信部２０７の制御を行なうための制御情報を生成し、制御部２０３に出力する。
【００８２】
制御部２０３は、上位層処理部２０１からの制御情報に基づいて、受信部２０５、および送信部２０７の制御を行う制御信号を生成する。制御部２０３は、生成した制御信号を受信部２０５、および送信部２０７に出力して受信部２０５、および送信部２０７の制御を行う。受信部２０５は、制御部２０３から入力された制御信号に従って、送受信アンテナ２１１を介して基地局装置３から受信した受信信号を、分離、復調、復号し、復号した情報を上位層処理部２０１に出力する。
【００８３】
無線受信部２０５７は、送受信アンテナ２１１を介して受信した下りリンクの信号を、中間周波数に変換し（ダウンコンバート）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部２０５７は、変換したディジタル信号からガードインターバルに相当する部分を除去し、ガードインターバルを除去した信号に対して高速フーリエ変換を行い、周波数領域の信号を抽出する。
【００８４】
多重分離部２０５５は、抽出した信号をＰＤＣＣＨ、ＰＤＳＣＨ、および下りリンク参照信号に、それぞれ分離する。尚、この分離は、下りリンク制御情報で通知された無線リソースの割り当て情報などに基づいて行われる。また、多重分離部２０５５は、チャネル測定部２０９から入力された伝搬路の推定値から、ＰＤＣＣＨとＰＤＳＣＨの伝搬路の補償を行なう。また、多重分離部２０５５は、分離した下りリンク参照信号をチャネル測定部２０９に出力する。
【００８５】
復調部２０５３は、ＰＤＣＣＨに対して、ＱＰＳＫ変調方式の復調を行ない、復号化部２０５１へ出力する。復号化部２０５１は、ＰＤＣＣＨのブラインドデコーディングを試み、ブラインドデコーディングに成功した場合、復号した下りリンク制御情報と下りリンク制御情報に含まれていたＲＮＴＩを上位層処理部２０１に出力する。復調部２０５３は、ＰＤＳＣＨに対して、ＱＰＳＫ、１６ＱＡＭ、６４ＱＡＭ等の下りリンク制御情報で通知された変調方式の復調を行ない、復号化部２０５１へ出力する。復号化部２０５１は、下りリンク制御情報で通知された符号化率に対する復号を行い、復号したデータ情報を上位層処理部２０１へ出力する。
【００８６】
チャネル測定部２０９は、多重分離部２０５５から入力された下りリンク参照信号から下りリンクのパスロスを測定し、測定したパスロスを上位層処理部２０１へ出力する。また、チャネル測定部２０９は、下りリンク参照信号から下りリンクの伝搬路の推定値を算出し、多重分離部２０５５へ出力する。
【００８７】
送信部２０７は、制御部２０３から入力された制御信号に従って、上りリンク参照信号を生成し、上位層処理部２０１から入力されたデータ情報を符号化および変調し、ＰＵＣＣＨ、ＰＵＳＣＨ、および生成した上りリンク参照信号を多重し、送受信アンテナ２１１を介して基地局装置３に送信する。符号化部２０７１は、上位層処理部２０１から入力された上りリンク制御情報を畳込み符号化、ブロック符号化等の符号化を行い、データ情報を下りリンク制御情報で通知された符号化率に基づいてターボ符号化を行なう。変調部２０７３は、符号化部２０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【００８８】
上りリンク参照信号生成部２０７９は、基地局装置３を識別するためのセル識別子、上りリンク参照信号を配置する帯域幅などを基に予め定められた規則で求まる、基地局装置３が既知の系列を生成する。多重部２０７５は、制御部２０３から入力された制御信号に従って、ＰＵＳＣＨの変調シンボルを並列に並び替えてから離散フーリエ変換（Discrete Fourier Transform: DFT）し、ＰＵＣＣＨとＰＵＳＣＨの信号と生成した上りリンク参照信号を多重する。
【００８９】
無線送信部２０７７は、多重した信号を逆高速フーリエ変換して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート）し、余分な周波数成分を除去し、電力増幅し、送受信アンテナ２１１に出力して送信する。
【００９０】
＜無線通信システムの動作について＞
図９は、本発明の基地局装置３の動作の一例を示すフローチャート図である。基地局装置３は、移動局装置１それぞれにＣ−ＲＮＴＩを割り当て、割り当てたＣ−ＲＮＴＩを移動局装置１それぞれに通知し、コンテンションベース上りリンク送信に用いるＣＢ−ＲＮＴＩにコードを割り当て、割り当てたＣＢ−ＲＮＴＩのコードを報知する（ステップＳ２００）。尚、ＣＢ−ＲＮＴＩのコードは基地局装置３と移動局装置１間で予め決めておいてもよい。基地局装置３は、上りリンクの無線リソースの中から、特定の移動局装置１がＰＵＳＣＨを配置する無線リソース、および不特定の移動局装置1がコンテンションベース上りリンク送信のＰＵＳＣＨを配置する無線リソースを割り当てる（ステップＳ２０１）。
【００９１】
基地局装置３は、ステップＳ２０１で割り当てた上りリンクの無線リソースを示す下りリンク制御情報を生成する。また、基地局装置３は、生成した下りリンク制御情報から巡回冗長検査符号を生成し、生成した巡回冗長検査符号をＲＮＴＩでスクランブルして下りリンク制御情報に付加し、当該下りリンク制御情報を符号化する。下りリンク制御情報が特定の移動局装置１に対する無線リソースの割り当てを示すものである場合、巡回冗長検査符号を当該移動局装置１に割り当てたＣ−ＲＮＴＩでスクランブルし、下りリンク制御情報が不特定の移動局装置１に対するコンテンションベース上りリンク送信用の無線リソース割り当てを示すものである場合、巡回冗長検査符号をＣＢ−ＲＮＴＩでスクランブルする（ステップＳ２０２）。
【００９２】
基地局装置３は、ステップＳ２０２で符号化した下りリンク制御情報を共通探索領域または移動局装置固有探索領域に配置する（ステップＳ２０３）。尚、基地局装置３は、Ｃ−ＲＮＴＩを含む下りリンク制御情報を配置する１つまたは複数の制御チャネル要素を、Ｃ−ＲＮＴＩを割り当てた移動局装置１の移動局装置固有探索領域と共通探索領域の中から選択し、ＣＢ−ＲＮＴＩを含む下りリンク制御情報を配置する１つまたは複数の制御チャネル要素を、共通探索領域、または共通探索領域と複数の移動局装置１の移動局装置固有探索領域が重複している領域の中から選択する。基地局装置３は、共通探索領域または移動局装置固有探索領域に配置された下りリンク制御情報を送信し（ステップＳ２０４）、その後、下りリンク制御情報で割り当てた無線リソースで、移動局装置１が送信した信号を受信する（ステップＳ２０５）。基地局装置３はステップＳ２０５の後、コンテンションベース上りリンク送信の受信に関する処理を終了する。
【００９３】
図１０は、本発明の移動局装置１の動作の一例を示すフローチャート図である。移動局装置１は、基地局装置３から通知された、または報知されているＣ−ＲＮＴＩとＣＢ−ＲＮＴＩを取得し（ステップＳ３００）、Ｃ−ＲＮＴＩを含む下りリンク制御情報を共通探索領域および移動局装置固有探索領域でブラインドデコーディングし、ＣＢ−ＲＮＴＩを含む下りリンク制御情報を共通探索領域、または共通探索領域および移動局装置固有探索領域でブラインドデコーディングする（ステップＳ３０１）。尚、移動局装置１は、ＣＢ−ＲＮＴＩを含む下りリンク制御情報は常にブラインドデコーディングせず、特定の条件（例えば、上りリンクのデータ情報を保持しているが、基地局装置３から一定の期間、ＰＵＳＣＨの無線リソースを割り当てられないとき）の場合のみブラインドデコーディングするようにしてもよい。
【００９４】
移動局装置１は、Ｃ−ＲＮＴＩを含む下りリンク制御情報のブラインドデコーディングに成功した場合（ステップＳ３０２）、当該下りリンク制御情報が示す上りリンクの無線リソースを選択し（ステップＳ３０３）、ＣＢ−ＲＮＴＩを含む下りリンク制御情報のブラインドデコーディングに成功した場合（ステップＳ３０３）、当該下りリンク制御情報が示す複数の上りリンクの無線リソースのうち、１つの無線リソースを選択する（ステップＳ３０４）。尚、移動局装置１は、ＣＢ−ＲＮＴＩを含む複数の下りリンク制御情報のブラインドデコーディングに成功した場合、複数の下りリンク制御情報それぞれが示す複数の上りリンクの無線リソース全体のうち、１つの無線リソースを選択する。移動局装置１は、ステップＳ３０３またはステップＳ３０４で選択した上りリンクの無線リソースにＰＵＳＣＨを配置し、基地局装置３に送信する（ステップＳ３０５）。移動局装置１は、ステップＳ３０５の後、コンテンションベース上りリンク送信の送信に関する処理を終了する。
【００９５】
このように、本発明によれば、基地局装置３が、１つの下りリンク制御情報で複数のコンテンションベース上りリンク送信用の無線リソースを割り当て、移動局装置１が、複数のコンテンションベース上りリンク送信用の無線リソースの中から１つのコンテンションベース上りリンク送信用の無線リソースを選択する。これにより、下りリンク制御情報のオーバーヘッドを減らしつつ、多くのコンテンションベース上りリンク送信用の無線リソースを割り当てることができるため、移動局装置１間でのコンテンションベース上りリンク送信が衝突する確率を下げることができるなど、効率的にコンテンションベース上りリンク送信を行なうことができる。
【００９６】
（変形例）
以下、本発明の変形例について説明する。
【００９７】
本発明の変形例では、基地局装置３は、１つの下りリンク制御情報で１つのサブフレーム内の特定の移動局装置１に対する無線リソース、またはコンテンションベース上りリンク送信用の無線リソースを示すだけでなく、１つの下りリンク制御情報で複数のサブフレームに割り当てた特定の移動局装置１に対する複数の無線リソース、または１つの下りリンク制御情報で複数のサブフレームに割り当てたコンテンションベース上りリンク送信用の無線リソースを示す。本発明の変形例では、下りリンク制御情報に、１サブフレーム内の無線リソース割り当てを示す情報と、当該無線リソースの割り当てを適用するサブフレームを示す情報が含まれる。
【００９８】
図１１は、本発明の変形例のコンテンションベース上りリンク送信用の無線リソースの割り当ての一例を示す図である。図１１において、横軸は時間領域、縦軸は周波数領域であり、２つの上りリンクのサブフレームのみを示す。図１１において、斜線でハッチングされた領域は特定の移動局装置１に対する無線リソースであり、ドットでハッチングされた領域はコンテンションベース上りリンク送信用の無線リソースである。また、図１１において、破線で囲まれた領域はＣ−ＲＮＴＩを含む１つの下りリンク制御情報で示される特定の移動局装置１に割り当てたサブフレーム＃０とサブフレーム＃１の無線リソースであり、点線で囲まれた領域はＣＢ−ＲＮＴＩを含む１つの下りリンク制御情報で示されるコンテンションベース上りリンク送信用に割り当てたサブフレーム＃０とサブフレーム＃１の無線リソースである。
【００９９】
例えば、図１１において、下りリンク制御情報に含まれる無線リソースの割り当てを適用するサブフレームを示す２ビットの情報が“１０”の場合、下りリンク制御情報が示す無線リソースの割り当てはサブフレーム＃０に対するものであり、当該サブフレームを示す２ビットの情報が“０１”の場合、下りリンク制御情報が示す無線リソースの割り当てはサブフレーム＃１に対するものであり、当該サブフレームを示す２ビットの情報が“１１”の場合、下りリンク制御情報が示す無線リソースの割り当てはサブフレーム＃０とサブフレーム＃１に対するものである。
【０１００】
移動局装置１は、図１１の破線で囲まれた領域のようにＣ−ＲＮＴＩを含む１つの下りリンク制御情報で複数のサブフレームの無線リソースを割り当てられた場合、下りリンク制御情報で示された全ての無線リソースを選択し、サブフレーム毎（つまり無線リソース毎）に異なるデータ情報を含むＰＵＳＣＨを送信する。また、移動局装置１は、図１１の点線で囲まれた領域のようにＣＢ−ＲＮＴＩを含む１つの下りリンク制御情報で複数のサブフレームの無線リソースを割り当てられた場合、ＣＢ−ＲＮＴＩを含む下りリンク制御情報で示された複数のサブフレームの無線リソースの中から１つの無線リソースを選択し、選択した無線リソースでＰＵＳＣＨを送信する。
【０１０１】
尚、図１１では１つの下りリンク制御情報につき、１つのサブフレームに１つの無線リソースしか割り当てていないが、１つの下りリンク制御情報で１つのサブフレームに複数の無線リソースを割り当てるようにしてもよい。また、移動局装置１は、ＣＢ−ＲＮＴＩを含む下りリンク制御情報を受信した際に、下りリンク制御情報に含まれる無線リソースの割り当てを適用するサブフレームを示す情報を適用せず、下りリンク制御情報に含まれる１サブフレーム内の無線リソースの割り当てを示す情報を、基地局装置３から予め通知された、または予め決めておいた時間後のサブフレームのみに適用するようにしてもよい。
【０１０２】
このように本発明の変形例によれば、１つの下りリンク制御情報で複数のサブフレームに配置される複数の無線リソースを示す場合にも本発明を適用することができる。本発明および本発明の変形例では、下りリンクの無線リソースと上りリンクの無線リソースが異なる周波数帯域から構成される周波数分割複信（Frequency Division Duplex: FDD）方式の無線通信システムを用いて説明をしたが、本発明および本発明の変形例を上りリンクのサブフレーム（上りリンクの無線リソース）と下りリンクのサブフレーム（下りリンクの無線リソース）を時間によって切り替えることで、下りリンクの無線リソースと上りリンクの無線リソースを同じ周波数帯域から構成する時分割複信（Time Division Duplex: TDD）方式の無線通信システムに適用することもできる。
【０１０３】
以上説明した本発明の特徴的な手段は、集積回路に手段を実装し、制御することによっても実現することができる。すなわち、本発明の集積回路は、基地局装置３と、基地局装置３から受信した下りリンク制御情報に基づいて基地局装置３に信号を送信する移動局装置１を有する無線通信システムに適用される集積回路であって、基地局装置３において、複数のコンテンションベースの信号送信用（コンテンションベース上りリンク送信用）無線リソースを示す上りリンクグラント（下りリンク制御情報）をＰＤＣＣＨで送信する手段、前記無線リソースそれぞれで、不特定の移動局装置１からの信号を受信する手段を有することを特徴とする。
【０１０４】
また、本発明の集積回路は、基地局装置３と、基地局装置３から受信した下りリンク制御情報に基づいて基地局装置３に信号を送信する移動局装置１を有する無線通信システムに適用される集積回路であって、移動局装置１において、基地局装置３が送信した複数のコンテンションベースの信号送信用無線リソースを示す下りリンク制御情報をＰＤＣＣＨで受信する手段、前記下りリンク制御情報が示す前記複数の無線リソースのうち１つの無線リソースを選択する手段、前記選択した無線リソースでコンテンションベースの信号を送信する手段を有することを特徴とする。
【０１０５】
このように、本発明の集積回路を用いた無線通信システムにおいて、基地局装置３が、１つの下りリンク制御情報で複数のコンテンションベース上りリンク送信用の無線リソースを割り当て、移動局装置１が、複数のコンテンションベース上りリンク送信用の無線リソースの中から１つのコンテンションベース上りリンク送信用の無線リソースを選択する。これにより、下りリンク制御情報のオーバーヘッドを減らしつつ、多くのコンテンションベース上りリンク送信用の無線リソースを割り当てることができるため、移動局装置１間でのコンテンションベース上りリンク送信が衝突する確率を下げることができるなど、効率的にコンテンションベース上りリンク送信を行なうことができる。
【０１０６】
本発明に関わる基地局装置３、および移動局装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１０７】
尚、上述した実施形態における移動局装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。尚、ここでいう「コンピュータシステム」とは、移動局装置１、又は基地局装置３に内蔵されたコンピュータシステムであって、ＯＳや周辺機器等のハードウェアを含むものとする。
【０１０８】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１０９】
また、上述した実施形態における移動局装置１、基地局装置３の一部、又は全部を典型的には集積回路であるＬＳＩとして実現してもよい。移動局装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１１０】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１１１】
１（１Ａ、１Ｂ、１Ｃ）  移動局装置
３  基地局装置
１０１  上位層処理部
１０３  制御部
１０５  受信部
１０７  送信部
１０９  チャネル測定部
２０１  上位層処理部
２０３  制御部
２０５  受信部
２０７  送信部
２０９  チャネル測定部
１０１３  スケジューリング部
１０１５  下りリンク制御情報生成部
２０１３  スケジューリング部
２０１５  ブラインド復号制御部
【図１】
2011142532.tif 000003
【図２】
2011142532.tif 000004
【図３】
2011142532.tif 000005
【図４】
2011142532.tif 000006
【図５】
2011142532.tif 000007
【図６】
2011142532.tif 000008
【図７】
2011142532.tif 000009
【図８】
2011142532.tif 000010
【図９】
2011142532.tif 000011
【図１０】
2011142532.tif 000012
【図１１】
2011142532.tif 000013